(57)【要約】【課題】高い調整精度と耐衝撃性とを両立できる照準スコープを実現する。【解決手段】本発明に係る照準スコープ１は、スコープ本体２と、スコープ本体２の少なくとも光軸２ｘに沿った中間部分２ａを覆う外枠３と、スコープ本体２を外枠３の内側において球芯位置２ｙの周りに回動可能に支持する球面支持構造２ｐ，３ｐと、球芯位置２ｙに対して光軸２ｘに沿った前後のうちの一方の側における外枠３の端部３ｂ，３ｄの開口縁３ａ，３ｃとスコープ本体２との間に設けられ、球芯位置２ｙの周りに摺動可能に形成された一方側の球面摺接部２ｓ，３ｓ又は２ｔ，３ｔと、外枠３に対するスコープ本体２の傾斜角θを設定可能な傾斜角調整機構４と、を具備する。【選択図】  図１
2019138518.tif 000002
【特許請求の範囲】
【請求項１】
スコープ本体と、
該スコープ本体の少なくとも光軸に沿った中間部分を覆う外枠と、
前記外枠の内側において前記光軸と直交する面上に設定された回動軸線の周りに前記スコープ本体を回動可能に支持する回動支持構造と、
前記回動軸線に対して前記光軸に沿った前後のうちの一方の側における前記外枠の端部の開口縁と前記スコープ本体との間に設けられ、前記回動軸線の周りに摺動可能に形成された一方側の回動摺接部と、
前記外枠に対する前記スコープ本体の傾斜角を設定可能な傾斜角調整機構と、
を具備する照準スコープ。
【請求項２】
前記回動軸線の前後のうちの他方の側における前記外枠の端部の開口縁と前記スコープ本体との間に設けられ、前記回動軸線の周りに摺動可能に形成された他方側の回動摺接部をさらに具備する、
請求項１に記載の照準スコープ。
【請求項３】
前記回動支持構造は、前記スコープ本体を前記回動軸線上の球芯位置を中心に回動可能に支持する球面支持構造であり、
前記回動摺接部は、前記球芯位置を中心に回動可能に摺接する球面摺接部である、
請求項１又は２に記載の照準スコープ。
【請求項４】
前記回動摺接部は前記外枠の端部の開口縁の全周にわたって設けられ、前記回動摺接部によって前記外枠の端部と前記スコープ本体との隙間が閉鎖される、
請求項１〜３のいずれか一項に記載の照準スコープ。
【請求項５】
スコープ本体と、
該スコープ本体の少なくとも光軸に沿った中間部分を覆う外枠と、
前記外枠の内側において前記光軸に沿った前後のうちの一方の側における前記外枠の端部の開口縁と前記スコープ本体との間に設けられ、前記光軸と直交する面上に設定された回動軸線の周りに摺動可能に形成された一方側の回動摺接部と、
前記前後のうちの他方の側における前記外枠の端部の開口縁と前記スコープ本体との間に設けられ、前記回動軸線の周りに摺動可能に形成された他方側の回動摺接部と、
前記外枠に対する前記スコープ本体の傾斜角を設定可能な傾斜角調整機構と、
を具備する照準スコープ。
【請求項６】
前記回動摺接部は、前記回動軸線上の球芯位置を中心に回動可能に摺接する球面摺接部である、
請求項５に記載の照準スコープ。
【請求項７】
前記回動摺接部は前記外枠の端部の開口縁の全周にわたって設けられ、前記回動摺接部によって前記外枠の端部と前記スコープ本体の外面との隙間が閉鎖される、
請求項５又は６に記載の照準スコープ。
【発明の詳細な説明】
【技術分野】
【０００１】
本発明は、銃器類や競技用射撃その他の射的競技などに用いられる照準スコープに関する。
【背景技術】
【０００２】
従来から、銃器類や射的競技などには照準スコープが用いられている。照準スコープとしては、スコープ本体の内部にレティクル（照準線）を含む内筒が傾動可能に内蔵され、内筒の傾斜角を調整可能に構成する傾斜角調整機構（弾着調整機構）を備えたものが知られている（以下の特許文献１参照）。一方、照準スコープとしては、スコープ全体を銃器などの本体に固定された取付ベースに対して傾動可能に構成し、取付ベースを基準としてスコープ本体の傾斜角を調整可能に構成する傾斜角調整機構（弾着調整機構）を備えたものも古くから存在する。
【先行技術文献】
【特許文献】
【０００３】
【特許文献１】特開平９−３１８２９６号公報
【発明の概要】
【発明が解決しようとする課題】
【０００４】
ところで、上記従来のいずれの照準スコープにおいても、傾斜角調整機構における高い調整精度が要求されるとともに、射撃時などに受ける強い衝撃にも耐え、傾斜角を維持できる高い剛性が要求される。しかしながら、高い精度と高い剛性を両立させることは困難であるとともに、両立させるために製造コストの増大や寸法の増大を招くことが多いという問題点があった。
【０００５】
また、上記のスコープ本体に対して内筒を傾動可能に構成した照準スコープにおいては、内筒を傾斜させすぎると、スコープ本体の光軸に対する内筒の光軸のずれが増大するため、像が劣化するなどの光学性能の低下を招くおそれがある。一方、上記のスコープ全体を取付ベースに対して傾動可能に構成した照準スコープにおいては、傾斜角調整機構が外部に露出しているため、ほこりなどが機構に侵入して調整精度が低下したり、衝撃などにより傾斜角が変動しやすくなったりするという問題がある。
【０００６】
そこで、本発明の課題は、高い調整精度と耐衝撃性とを両立できる照準スコープを提供することにある。
【課題を解決するための手段】
【０００７】
上記課題を解決するために、第１発明の照準スコープは、スコープ本体と、該スコープ本体の少なくとも光軸に沿った中間部分を覆う外枠と、前記外枠の内側において前記光軸と直交する面上に設定された回動軸線の周りに前記スコープ本体を回動可能に支持する回動支持構造と、前記回動軸線に対して前記光軸に沿った前後のうちの一方の側における前記外枠の端部の開口縁と前記スコープ本体との間に設けられ、前記回動軸線の周りに摺動可能に形成された一方側の回動摺接部と、前記外枠に対する前記スコープ本体の傾斜角を設定可能な傾斜角調整機構と、を具備する。
【０００８】
本発明において、前記回動軸線の前後のうちの他方の側における前記外枠の端部の開口縁と前記スコープ本体との間に設けられ、前記回動軸線の周りに摺動可能に形成された他方側の回動摺接部をさらに具備することが好ましい。この場合において、前記一方側の回動摺接部の摺接半径と前記他方側の回動摺接部の摺接半径とが同じであることが望ましい。
【０００９】
本発明において、前記回動支持構造は、前記スコープ本体を前記回動軸線上の球芯位置を中心に回動可能に支持する球面支持構造であり、前記回動摺接部は、前記球芯位置を中心に回動可能に摺接する球面摺接部であることが好ましい。
【００１０】
本発明において、前記回動摺接部は前記外枠の端部の開口縁の全周にわたって設けられ、前記回動摺接部によって前記外枠の端部と前記スコープ本体との隙間が閉鎖されることが好ましい。特に、一方側と他方側の両側に回動摺接部が設けられる場合には、両方の回動摺接部が共に上記のように構成されることが望ましい。
【００１１】
また、第２発明の照準スコープは、スコープ本体と、該スコープ本体の少なくとも光軸に沿った中間部分を覆う外枠と、前記外枠の内側において前記光軸に沿った前後のうちの一方の側における前記外枠の端部の開口縁と前記スコープ本体との間に設けられ、前記光軸と直交する面上に設定された回動軸線の周りに摺動可能に形成された一方側の回動摺接部と、前記前後のうちの他方の側における前記外枠の端部の開口縁と前記スコープ本体との間に設けられ、前記回動軸線の周りに摺動可能に形成された他方側の回動摺接部と、前記外枠に対する前記スコープ本体の傾斜角を設定可能な傾斜角調整機構と、を具備する。ここで、前記一方側の回動摺接部の摺接半径と前記他方側の回動摺接部の摺接半径とが同じであることが好ましい。
【００１２】
本発明において、前記回動摺接部は、前記回動軸線上の球芯位置を中心に回動可能に摺接する球面摺接部であることが好ましい。また、前記回動摺接部は前記外枠の端部の開口縁の全周にわたって設けられ、前記回動摺接部によって前記外枠の端部と前記スコープ本体との隙間が閉鎖されることが好ましい。特に、一方側と他方側の両側に回動摺接部が設けられる場合には、両方の回動摺接部が共に上記のように構成されることが望ましい。
【発明の効果】
【００１３】
この発明によれば、高い調整精度と耐衝撃性とを両立できる照準スコープを提供することができる。
【図面の簡単な説明】
【００１４】
【図１】本発明に係る照準スコープの実施形態である照準望遠鏡の概略構造を模式的に示す断面図である。
【発明を実施するための形態】
【００１５】
次に、添付図面を参照して本発明の照準スコープの実施形態について詳細に説明する。最初に、図１を参照して、本発明に係る照準スコープの実施形態の全体構成について説明する。
【００１６】
本実施形態の照準望遠鏡（照準スコープとも言う、以下同様。）１は、望遠鏡本体（スコープ本体とも言う、以下同様。）２と、この望遠鏡本体２の少なくとも中間部分２ａを覆う外枠３と、を具備する。望遠鏡本体２は、軸線２ｘ（図示例では光軸）に沿った上記中間部分２ａの両側に、それぞれ対物側部分２ｂと接眼側部分２ｃを備える。図示例の場合、上記中間部分２ａの内部には、レティクル（照準線）や正立レンズ群などが設置され、上記対物側部分２ｂの内部には対物レンズ群が設置され、上記接眼側部分２ｃの内部には接眼レンズ群が設置される。上記外枠３により覆われる領域内の外周面上（上記中間部分２ａの外周面上）には、球芯位置２ｙを中心とする凸球面状の被軸支面２ｐ１を備える被軸支部２ｐが設けられる。ここで、被軸支部２ｐはボルトなどの取付具２ｐ２によって上記中間部分２ａに固定される。球芯位置２ｙは図示例のように軸線２ｘ上にあることが望ましいが、構造上は、後述する外枠３の内側にあれば特に限定されない。
【００１７】
一方、外枠３は、軸線３ｘに沿った筒状（好ましくは円筒状）に構成される。したがって、外枠３には、対物側開口部３ａを備える対物側端部３ｂと、接眼側開口部３ｃを備える接眼側端部３ｄとが設けられる。外枠３の中間位置には上記被軸支部２ｐに対応する凹球面状の軸支面３ｐ１を備える軸支部３ｐが設けられる。軸支部３ｐには、軸支面３ｐ１内に形成される凹部３ｐ２が設けられ、この凹部３ｐ２が上記取付具２ｐ２の頭部を収容することにより、被軸支面２ｐ１と軸支面３ｐ１との摺接が可能になるとともに、凹部３ｐ２の範囲と取付具２ｐ２の頭部との位置関係により、外枠３に対する望遠鏡本体２の回動範囲が定められる。図示例の場合、外枠３は、望遠鏡本体２の中間部分２ａのみを覆い、上記対物側部分２ｂと上記接眼側部分２ｃを外部へ露出した構造を有する。
【００１８】
上記望遠鏡本体２には、外枠３の対物側端部３ｂの開口縁に対向する対物側の球面摺動部（回動摺接部とも言う、以下同様。）２ｓが設けられる。図示例では、対物側の球面摺動部２ｓはフランジ状に外周側へ突出する形状とされる。この対物側の球面摺動部２ｓにおける上記対物側端部３ｂに向かう面は、球芯位置２ｙを中心とする凹球面状に形成された対物側の摺動面２ｓ１となっている。また、望遠鏡本体２には、外枠３の接眼側端部３ｃの開口縁に対向する接眼側の球面摺動部（回動摺接部とも言う、以下同様。）２ｔが設けられる。図示例では、接眼側の球面摺動部２ｔはフランジ状に外周側へ突出する形状とされる。この接眼側の球面摺動部２ｔにおける上記対物側端部３ｃに向かう面は、球芯位置２ｙを中心とする凹球面状に形成された対物側の摺動面２ｔ１となっている。
【００１９】
上記外枠３には、対物側端部３ｂにおいて、上記対物側の球面摺動部２ｓに対向する対物側の球面摺動部（回動摺接部とも言う、以下同様。）３ｓが設けられる。図示例では、対物側の球面摺動部３ｓはリブ状に外周縁側へ突出する形状とされる。この対物側の球面摺動部３ｓにおける上記対物側の球面摺動部２ｓに向かう面は、球芯位置２ｙを中心とする凸球面状に形成された対物側の摺動面３ｓ１となっている。また、外枠３には、望遠鏡本体２の接眼側の球面摺動部２ｔに対向する接眼側の球面摺動部（回動摺接部とも言う、以下同様。）３ｔが設けられる。図示例では、対物側の球面摺動部３ｔはリブ状に外周側へ突出する形状とされる。この対物側の球面摺動部３ｔにおける上記対物側の球面摺動部２ｔに向かう面は、球芯位置２ｙを中心とする凸球面状に形成された対物側の摺動面３ｔ１となっている。外枠３の下部には、銃器、競技具などの本体に装着された取付ベース５に着脱可能に接続固定可能な接続部３ｍ、３ｎが形成される。接続部３ｍ、３ｎは図示しない取付構造によって取付ベース５上の選択された取付部位に固定できる。
【００２０】
上記対物側の摺動面２ｓ１と３ｓ１は、相互に同じ球芯位置と球半径を備える対応する球面であり、相互に摺動可能に摺接する。また、両摺動面の間にはシール部材３ｓ２が介在している。ここで、シール部材３ｓ２は、図示例では対物側の球面摺動部３ｓ側に装着されているが、対物側の球面摺動部２ｓ側に装着されていてもよい。また、上記と同様に、上記接眼側の摺動面２ｔ１と３ｔ１は、相互に同じ球芯位置と球半径を備える対応する球面であり、相互に摺動可能に摺接する。また、両摺動面の間にはシール部材３ｔ２が介在している。ここで、シール部材３ｔ２は、図示例では接眼側の球面摺動部３ｔ側に装着されているが、接眼側の球面摺動部２ｔ側に装着されていてもよい。さらに、対物側の球面摺動部２ｓと３ｓ、並びに、接眼側の球面摺動部２ｔと３ｔは、いずれも、球芯位置２ｙを中心とする同一球面（図示二点鎖線）上に沿って形成される。ただし、対物側の球面摺動部２ｓ及び３ｓと、接眼側の球面摺動部２ｔ及び３ｔとは、いずれも球芯位置２ｙを中心とした球面上に沿って形成されていればよく、図示例とは異なり、相互に同一の球半径上に形成されず、異なる球半径上に形成されてもよい。
【００２１】
本実施形態には、上記球芯位置２ｙから上記軸線２ｘに沿ってずれた位置において、傾斜角調整機構４が形成される。この傾斜角調整機構４は、望遠鏡本体２が外枠３によって覆われる領域内において上記軸線２ｘ上の球芯位置２ｙからずれた位置２ｚにおいて軸線２ｘと交差（直交）する軸線４ｘに沿って動作する駆動軸４ａと、この駆動軸４ａに対して、上記領域を有する望遠鏡本体２の部分（中間部分２ｂ）の反対側に配置される受動軸４ｂとを有する。駆動軸４ａは、外部に突出したダイヤル４ｃを回すことにより駆動機構４ｄを介して軸線４ｘに沿って出没し、上記領域内にある望遠鏡本体２の外周面上に設けられた当接部２ｑと当接することにより、外枠３の軸線３ｘに対する望遠鏡本体２の軸線２ｘの傾斜角θを設定できるように構成される。また、受動軸４ｂは、上記駆動軸４ａの出没動作に対応して、弾性体４ｅの弾性変形により受け部材４ｆが軸線４ｘに沿って従動し、上記領域内にある望遠鏡本体２の外周面上に設けられた当接部２ｒと当接した状態を維持するように構成される。これにより、駆動軸４ａの当接部２ｑに当接した状態が維持される。なお、当接部２ｑ、２ｒは、いずれも、軸線４ｘ上の中心点（或いは、中心軸）を中心とする球面若しくは円筒面状の当接面を備えることが好ましい。この中心点（或いは、中心軸）は、例えば、軸線２ｘと軸線４ｘの交差点（或いは、当該交差点を通過し、両軸線に対して直交する軸）２ｚであることが好ましい。
【００２２】
図示例の傾斜角調整機構４は、上下方向に伸びる垂直線である軸線４ｘに沿って駆動軸４ａ（及び受動軸４ｂ）を出没させることにより、外枠３に対する望遠鏡本体２の上下方向の傾斜角θ（仰角）を調整するように構成されている。ただし、図示しないものの、外枠３に対する望遠鏡本体２の左右方向の傾斜角（偏角）を調整するように構成されたもう一組の機構を設けることもできる。いずれにしても、射的競技などに要求される所定の傾斜角調整機能（弾着調整機能）が得られるように構成されていればよい。
【００２３】
以上説明した本実施形態によれば、望遠鏡本体２と外枠３を所定の球芯位置２ｙを中心として回動可能に案内する案内支持構造として、被軸支部２ｐと軸支部３ｐとからなる球面支持構造（回動支持構造とも言う、以下同様。）に加えて、これと同じ球芯位置２ｙを有する対物側の球面摺動部２ｓ、３ｓ又は接眼側の球面摺動部２ｔ、３ｔを設けることにより、球芯位置２ｙを中心とする望遠鏡本体２と外枠３との間の傾斜角θの調整精度を向上させることができる。また、同様の理由により、傾斜角θの変動に対する剛性を高めることができる。
【００２４】
なお、被軸支部２ｐと軸支部３ｐとからなる球面支持構造を省略し、望遠鏡本体２と外枠３を所定の球芯位置２ｙを中心として回動可能に案内する案内支持構造として、複数の同じ球芯位置２ｙを備えた球面摺動部２ｓ、３ｓ及び２ｔ、３ｔを設けることによっても、上記と同様に、球芯位置２ｙを中心とする望遠鏡本体２と外枠３との間の傾斜角θの調整精度を向上させることができる。また、同様の理由により、傾斜角θの変動に対する剛性を高めることができる。特に、球芯位置（回動軸線）に対して光軸（軸線２ｘ）に沿った両側（一方側と他方側）にそれぞれ球面摺接部（回動摺接部）を備えることにより、安定した案内支持構造を構成できる。
【００２５】
特に、上記のいずれの構成においても、複数の案内支持構造が共通の球半径を備えることにより、例えば、図示例では対物側の球面摺動部２ｓ、３ｓと接眼側の球面摺動部２ｔ、３ｔとが同じ球半径を備えることで、共通の球面に沿って摺動可能に案内するように構成すると、各案内支持構造における支持荷重や摺動量を分散、均等化させ、バランスを採ることができるので、傾斜角の調整精度と耐衝撃性をより高いレベルで両立できる。また、各球面摺動部の耐久性を高めることもできる。
【００２６】
本実施形態では、対物側の球面摺動部２ｓ、３ｓと接眼側の球面摺動部２ｔ、３ｔのいずれにおいても、外枠３の各端部３ｂ、３ｄの各開口部３ａ、３ｂの周囲の全周にわたって摺動面２ｓ１，３ｓ１及び２ｔ１，３ｔ１が摺接している。これにより、傾斜角θ（仰角や偏角）の調整範囲内では、各球面摺動部が相互に密接した状態が維持されるので、望遠鏡本体２と外枠３の間の隙間が上記摺接領域によって閉鎖された状態となる。このため、望遠鏡本体２と外枠３の間に粉塵等の異物が侵入し、異物の介在によって傾斜角θの再現性や耐衝撃性が低下するといったことを抑制できる。
【００２７】
なお、本発明は、上述の図示例のみに限定されるものではなく、本発明の要旨を逸脱しない範囲内において種々変更を加え得ることは勿論である。例えば、上記実施形態で説明した以外の機能、例えば、正立レンズ群の一部を光軸方向に移動させる焦点調整機構を設けてもよい。また、本発明に係る照準スコープにおいて、図示の望遠機能は必須ではなく、単に照準機能のみを備えた照準器であってもよい。ただし、本発明は、望遠機能の有無はともなく、何等かの光学構造を有することによってスコープ本体が鏡筒構造を備える場合に特に好適である。
【００２８】
また、上記実施形態では、仰角と偏角のいずれをも調整可能にするという前提で球面支持構造や球面摺接部が構成されている。しかし、仰角と偏角のいずれか一方のみを調整可能にすれば足りる場合には、軸線２ｘと直交する面上において上記実施形態の球芯位置２ｙを通過する回動軸線（調整可能としたい角度に沿った面と直交する回動軸線）を設定したとき、当該回動軸線を中心としてスコープ本体２が外枠３に対して回動可能に構成されるように、回動支持構造や回動摺接部が設けられていればよい。この場合、上記被軸支面２ｐ１及び軸支面３ｐ１や上記摺接面２ｓ１，３ｓ１及び２ｔ１，３ｔ１は、球面ではなく、上記回動軸線を中心とする円筒面であってもよい。上記実施形態の球面支持構造や球面摺接部は、上記軸線２ｘと直交する面上において球芯位置２ｙを通過する任意の回動軸線を中心として回動可能に構成された一例である。
【符号の説明】
【００２９】
１…照準望遠鏡（照準スコープ）、２…望遠鏡本体（スコープ本体）、２ａ…中間部分、２ｂ…対物側部分、２ｃ…接眼側部分、２ｐ…被軸支部、２ｐ１…被軸支面、２ｐ２…取付具、２ｑ，２ｒ…当接部、２ｓ…対物側の球面摺動部、２ｓ１…対物側の摺動面、２ｔ…接眼側の球面摺動部、２ｔ１…接眼側の摺動面、２ｘ…軸線、２ｙ…球芯位置、３…外枠、３ａ…対物側開口部、３ｂ…対物側端部、３ｃ…接眼側開口部、３ｄ…接眼側端部、３ｐ…軸支部、３ｐ１…軸支面、３ｐ２…凹部、３ｓ…対物側の球面摺動部、３ｓ１…対物側の摺動面、３ｓ２…シール部材、３ｔ…接眼側の球面摺動部、３ｔ１…接眼側摺動面、３ｔ２…シール部材、３ｘ…軸線、３ｍ、３ｎ…接続部、４…傾斜角調整機構、４ａ…駆動軸、４ｂ…受動軸、４ｃ…ダイヤル、４ｄ…駆動機構、４ｅ…弾性体（コイルばね）、４ｆ…受け部材、４ｘ…軸線、５…取付ベース
【図１】
2019138518.tif 000003